(57)【特許請求の範囲】
【請求項１】
横架材の端部同士を突き合わせ連結する横架材連結用金具であって、一側部が前記一方の横架材の端部に形成した仕口部に挿入係合され、反対側の他側部が前記他方の横架材の端部に形成した仕口部に挿入係合される板材を一対設け、この一対の板材は、夫々前記横架材の外面から打設する係止体を貫通する貫通係止孔を所定位置に形成するとともに、夫々上下端部の中央部を内側へ水平折曲して水平折曲片を設けた構成とし、一方の前記板材の前記水平折曲片と他方の前記板材の前記水平折曲片とを上下重合しこの上下重合した前記水平折曲片を架設板部とし、前記一対の板材を対向並設状態に配し夫々の上下端部を前記架設板部で連設して方形ボックス形に構成し、前記架設板部は、前記一対の板材を前記横架材に挿入係合した際に、前記横架材の表面から突出しない状態で前記横架材の仕口部に収納し得る構成とし、この架設板部の水平折曲片に夫々連通する取付孔を設けて、この取付孔にボルトを挿入し前記横架材の端部同士を突き合わせ連結する部分に柱を立設するためのホゾ金具を前記ボルトに螺着し取り付けられるように構成したことを特徴とする横架材連結用金具。
【発明の詳細な説明】
【０００１】
【発明の属する技術分野】
本発明は、例えば横架材である梁と梁とを突き合わせ連結する横架材連結用金具である。
【０００２】
【従来の技術及び発明が解決しようとする課題】
従来、柱と梁とを連結する連結金具は様々あるが、梁同士を突き合わせ連結する金具は実用化されていない。
【０００３】
例えば、梁同士を連結するため、単に梁間に連結金具として鉄板を介在させ、係止体（係止ピン）を貫通して止着した場合、梁に負荷がかかると、この係止ピンにのみ大きな負荷がかかり、連結強度が十分に確保できない。
【０００４】
また、一対の対向板材の上部が連設した逆コ字状板に構成することも考えられるが、梁に上方から負荷がかかるとこの逆コ字状板では容易にハ字状に開いてしまい、やはり連結強度が十分とはいえない。
【０００５】
そのため、梁同士を連結する場合には、その連結位置は柱に近い位置としなければならない制約を受けざるを得なかった。
【０００６】
本発明は、このような現状を打破し、簡易な構成で量産性に秀れる構造でありながら簡易な改良を施すだけで、梁同士の連結を可能とし、しかも梁の上方からの荷重に十分耐える連結強度を有する構造で、梁と梁とを柱近くの位置でなくても柱間の中間位置でも連結することが実現できる極めて画期的な横架材連結用金具を提供することを目的としている。
【０００７】
【課題を解決するための手段】
添付図面を参照して本発明の要旨を説明する。
【０００８】
横架材１の端部同士を突き合わせ連結する横架材連結用金具であって、一側部が前記一方の横架材１の端部に形成した仕口部２に挿入係合され、反対側の他側部が前記他方の横架材１の端部に形成した仕口部２に挿入係合される板材３を一対設け、この一対の板材３は、夫々前記横架材１の外面から打設する係止体４を貫通する貫通係止孔６を所定位置に形成するとともに、夫々上下端部の中央部を内側へ水平折曲して水平折曲片５Ａを設けた構成とし、一方の前記板材３の前記水平折曲片５Ａと他方の前記板材３の前記水平折曲片５Ａとを上下重合しこの上下重合した前記水平折曲片を架設板部５とし、前記一対の板材３を対向並設状態に配し夫々の上下端部を前記架設板部５で連設して方形ボックス形に構成し、前記架設板部５は、前記一対の板材３を前記横架材１に挿入係合した際に、前記横架材１の表面から突出しない状態で前記横架材１の仕口部２に収納し得る構成とし、この架設板部５の水平折曲片５Ａに夫々連通する取付孔８を設けて、この取付孔８にボルト12を挿入し前記横架材１の端部同士を突き合わせ連結する部分に柱10を立設するためのホゾ金具９を前記ボルト12に螺着し取り付けられるように構成したことを特徴とする横架材連結用金具に係るものである。
【０００９】
【発明の実施の形態】
好適と考える本発明の実施の形態（発明をどのように実施するか）を、図面に基づいてその作用効果を示して簡単に説明する。
【００１０】
少なくとも、下部間が架設板部５で連設されて対向並設状態に構成された一対の板材３の一側部を一方の横架材１の端部に形成した仕口部２に挿入係合し、反対側の他側部を他方の横架材１の仕口部２に挿入係合し、各横架材１の仕口部２の前後面に施した止着孔７から例えば係止体４（係止ピン４や係止ボルト）を挿入若しくは螺着することで、前記板材３に形成した貫通係止孔６を貫通させて止着し、横架材１と横架材１とを突き合わせ連結する。
【００１１】
この横架材１の自重や上方から受ける荷重は貫通架設した係止体４にのみかかるのではなく、板材３間に架設した架設板部５にかかり、板材３の間隔が広がる連結強度、即ち、耐荷重強度は極めて向上する。
【００１２】
そのため、柱の近くでなく、柱と柱との中間位置で梁同士を連結しても、十分に上方からの荷重に与えられる横架材連結用金具が簡易な構成で容易に実現できることとなる。
【００１３】
また、この架設板部５を下部及び上部に夫々設けることで一層強度が向上し、しかもこの架設板部５を夫々の板材３の端部を折曲した折曲片５Ａを重合することで構成すれば、飛躍的に連結強度が向上する。
【００１４】
また、架設板部５は、梁の表面（上面や下面）から突出しないため他の施行に支障を起たさない。
【００１５】
【実施例】
本発明の具体的な実施例について図面に基づいて説明する。
【００１６】
本実施例は、一側部が前記一方の横架材１の端部に形成した仕口部２の溝部２Ａに挿入係合され、反対側の他側部が前記他方の横架材１の端部に形成した仕口部２の溝部２Ａに挿入係合される板材３を一対設け、この各板材３には前記横架材１の外面から貫通係止孔６を介して打設する係止体４（係止ピン）を貫通する貫通係止孔６を対向状態に多数形成すると共に、この一対の板材３の下部と上部間に、前記横架材１の下面及び上面より突出しない状態で前記仕口部２の表面凹設部２Ｂに形成した架設板部５を設けて対向並設状態に配設された一対の板材３の上部と下部の中央部分がこの架設板部５でつながっている方形ボックス形に構成している。
【００１７】
具体的には、所定位置に多数の貫通係止孔６を形成した孔空き板材３の上下端部の中央部分を夫々内側へ水平折曲し、この水平折曲片５Ａ同士を上部と下部とで夫々上下重合し、これを架設板部５として設けている。
【００１８】
また、前記仕口部２は、前述したように対向並設した板材３の端部が夫々挿入係合する（端部から長さ方向に切り込んだ）溝部２Ａと、（この溝部２Ａ間の上部及び下部を切り出して凹設切欠した）前記架設板部５が収納される表面凹設部２Ｂとで構成し、この凹設部２Ｂに架設板部５を配設させることで、前記横架材１の表面から夫々の架設板部５が突出しないように構成している。
【００１９】
従って、下部及び上部間が架設板部５で連設されて対向並設状態に構成された一対の板材３の一側部を一方の横架材１の端部に形成した仕口部２の溝部２Ａに挿入係合し、反対側の他側部を他方の横架材１の仕口部２の溝部２Ａに挿入係合し、各横架材１の仕口部２の前後面に施した止着孔７から係止体４（例えば係止ピン４）を打入することで、前記板材３に形成した貫通係止孔６を貫通させて止着し、横架材１と横架材１とを突き合わせ連結する。
【００２０】
この横架材１の自重や上方から受ける荷重は貫通架設した係止体４にのみかかるのではなく、板材３間に上下に架設した架設板部５にかかるため、方形ボックス形の本金具は極めて強い耐変形強度を発揮し、連結強度、即ち、耐荷重強度は極めて向上する。
【００２１】
特に本実施例では、上下の架設板部５は共に折曲片５Ａ同士を重合させることで構成されているため、簡易な構成で製作容易で量産性に秀れると共に、極めて連結強度が高く、柱の近くでなく、柱と柱との中間位置で梁同士を連結しても、十分に上方からの荷重に与えられる横架材連結用金具が簡易な構成で容易に実現できることとなる。
【００２２】
また、この上下の架設板部５は、いずれも梁の表面（上面や下面）から凹設している表面凹設部２Ｂに配設され、面から突出しないため他の施行に支障を起たさない。
【００２３】
また本実施例では、架設板部５に取付孔８を形成し、柱連結用のホゾ金具９を取り付けられるように構成している。
【００２４】
具体的には、架設板部５を構成する前記折曲片５Ａに連通状態に取付孔８を設け、図５，図６に示すように、本金具により突き合わせ連結する部分に柱10を立設するためのホゾ金具９をこの取付孔８に取り付ける。
【００２５】
即ち、ホゾ金具９の端部（下端）に螺子を形成したナット部11を形成し、前記取付孔８に挿入したボルト12をこのナット部11に螺着してホゾ金具９を架設板部５に取り付け、このホゾ金具９を柱10の端面（底面）に形成したホゾ孔13に挿入してピン止めし、柱10を梁同士の連結部に立設できるように構成している。
【００２６】
尚、本発明は、本実施例に限られるものではなく、各構成要件の具体的構成は適宜設計し得るものである。
【００２７】
【発明の効果】
本発明は上述のように構成したから、簡易な構成で量産性に秀れる構造でありながら、梁同士の連結を可能とし、しかも梁の上方からの荷重に十分耐える連結強度を有する構造で、柱近くの位置でなくても梁と梁とを柱間の中間位置でも連結することが実現できる極めて画期的な横架材連結用金具となる。
【図面の簡単な説明】
【図１】  本実施例の斜視図である。
【図２】  本実施例の側断面図である。
【図３】  本実施例の使用例を示す説明分解斜視図である。
【図４】  本実施例の使用例を示す説明斜視図である。
【図５】  本実施例の梁同士の連結部に柱を立設する場合の説明断面図である。
【図６】  本実施例の梁同士の連結部に柱を立設する場合の説明斜視図である。
【符号の説明】
１  横架材
２  仕口部
３  板材
４  係止体（係止ピン）
５  架設板部
５Ａ  折曲片
６  貫通係止孔
８ 取付孔
９ ホゾ金具
10 柱
12 ボルト
【図１】
0004683756.tif 000002
【図２】
0004683756.tif 000003
【図３】
0004683756.tif 000004
【図４】
0004683756.tif 000005
【図５】
0004683756.tif 000006
【図６】
0004683756.tif 000007